【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
互いに交差する複数の面における断層画像を時分割で取得する手段と、
前記複数の面における断層画像を画像表示する手段と、
前記互いに交差する複数の面の交差位置を表示された各々の断層画像上あるいは前記断層画像の近傍に表示する手段と、
を有することを特徴とする光干渉断層法を用いる撮像装置。
【請求項２】
前記互いに交差する複数の面における断層画像を時分割で取得する手段が、前記複数の面における断層画像の各々を所定の時間に順次取得することを特徴とする請求項１に記載の光干渉断層法を用いる撮像装置。
【請求項３】
前記複数の面における断層画像のうちのいずれかの表示された断層画像上で、前記交差位置の変更指示操作が可能な手段と、
前記変更指示操作に基づいた交差位置に対応する断層画像に前記表示された断層画像を変更する手段と、
を有することを特徴とする請求項１または２に記載の光干渉断層法を用いる撮像装置。
【請求項４】
前記交差位置の変更指示操作時に、撮像系の焦点位置も変更する手段を有していることを特徴とする請求項３に記載の光干渉断層法を用いる撮像装置。
【請求項５】
前記互いに交差する複数の面における断層画像を時分割で取得する手段が、トランスバーススキャン方式とフーリエドメイン方式とを時分割で切り替えていることを特徴とする請求項１〜４のいずれか一項に記載の光干渉断層法を用いる撮像装置。
【請求項６】
表示手段を制御して、被検眼の第１の断層画像を前記表示手段の表示画面の第１の領域に表示させ、前記第１の断層画像の面と交差する面の第２の断層画像を前記表示画面の第２の領域に表示させる画像表示制御手段と、
前記表示手段を制御して、前記第１の断層画像の面と前記第２の断層画像の面とが交差する位置を示す情報を、前記第１の領域と前記第２の領域のそれぞれに表示させる位置表示制御手段と、
前記第１の領域に表示された前記情報が示す位置の変更を指示する位置変更指示手段とを有し、
前記画像表示制御手段が、前記表示手段を制御して、前記第２の領域における変更位置に対応する面の新たな第２の断層画像を表示させることを特徴とする装置。
【請求項７】
前記画像表示制御手段が、前記表示手段を制御して、前記第１の断層画像の面と前記第２の断層画像の面にそれぞれ交差する面の第３の断層画像を、前記表示画面の第３の領域に表示させ、
前記位置表示制御手段が、前記表示手段を制御して、前記第１の断層画像の面と前記第３の断層画像の面とが交差する位置を示す情報を、前記第１の領域と前記第３の領域のそれぞれに表示させ、
前記位置変更指示手段が、前記第３の領域に表示された前記情報によって示された位置を変更する変更指示を行い、
前記画像表示制御手段が、前記表示手段を制御して、前記第１の領域における変更位置に対応する面の新たな第１の断層画像を表示させることを特徴とする請求項６に記載の装置。
【請求項８】
前記新たな第２の断層画像の面と前記第１の断層画像の面とが交差する位置を示す情報を変更するとともに、前記第３の領域に表示された、前記第１の断層画像の面と交差する位置の情報を示す情報を変更する位置情報変更手段を有することを特徴とする請求項７に記載の装置。
【請求項９】
互いに交差する複数の面における断層画像を時分割で取得する工程と、
前記複数の断層画像の各々の面での取得断層画像を画像表示装置に表示する工程と、
前記互いに交差する複数の面の交差位置を各々の表示画像上あるいは近傍に表示する工程と、
を有することを特徴とする光干渉断層法を用いる撮像装置の制御方法。
【請求項１０】
請求項９に記載の制御方法の各工程をコンピュータに実行させることを特徴とするプログラム。
【請求項１１】
光を照射した被検眼からの戻り光に基づいて該被検眼の画像を撮る撮像装置であって、
前記被検眼の画像に基づいて互いに交差する複数の面の位置について指示する指示手段と、
所定時間内に前記画像が取得された位置に対応する前記被検眼の領域の画像を取得する取得手段と、
を有することを特徴とする撮像装置。
【請求項１２】
表示手段を制御して、前記所定時間内に連続して取得した画像を表示させる表示制御手段を有することを特徴とする請求項１１に記載の撮像装置。
【請求項１３】
前記画像が、前記被検眼の眼軸方向の光干渉断層画像及び該被検眼の該眼軸方向に略垂直な方向の光干渉断層画像であることを特徴とする請求項１１または１２に記載の撮像装置。
【請求項１４】
前記指示手段の指示に基づき焦点位置を移動する手段と、
前記指示手段の指示に基づきコヒーレンスゲートの位置を移動する手段と、
を有することを特徴とする請求項１１〜１３のいずれか一項に記載の撮像装置。
【請求項１５】
表示画面の第１の領域に被検眼の第１の断層画像を表示する工程と、
前記第１の断層画像と交差する面の第２の断層画像を前記表示画面の第２の領域に表示する工程と、
前記第１の断層画像の面と前記第２の断層画像の面とが交差する位置を示す情報を、前記第１の領域と前記第２の領域のそれぞれに表示する工程と、
前記第１の領域に表示された前記情報が示す位置の変更を指示する工程と、
前記第２の領域における変更位置に対応する面の新たな第２の断層画像を表示する工程とを有する方法。
【請求項１６】
請求項１５に記載の方法の各工程をコンピュータに実行させることを特徴とするプログラム。
【手続補正２】
【補正対象書類名】明細書
【補正対象項目名】０００７
【補正方法】変更
【補正の内容】
【０００７】
本発明の光干渉断層法を用いる撮像装置は、互いに交差する複数の面における断層画像を時分割で取得する手段と、前記複数の面における断層画像を画像表示する手段と、
前記互いに交差する複数の面の交差位置を表示された各々の断層画像上あるいは前記断層画像の近傍に表示する手段と、を有することを特徴とする。
また、本発明の装置は、表示手段を制御して、被検眼の第１の断層画像を前記表示手段の表示画面の第１の領域に表示させ、前記第１の断層画像の面と交差する面の第２の断層画像を前記表示画面の第２の領域に表示させる画像表示制御手段と、前記表示手段を制御して、前記第１の断層画像の面と前記第２の断層画像の面とが交差する位置を示す情報を、前記第１の領域と前記第２の領域のそれぞれに表示させる位置表示制御手段と、前記第１の領域に表示された前記情報が示す位置の変更を指示する位置変更指示手段とを有し、
前記画像表示制御手段が、前記表示手段を制御して、前記第２の領域における変更位置に対応する面の新たな第２の断層画像を表示させることを特徴とする。
更に、本発明の光干渉断層法を用いる撮像装置の制御方法は、互いに交差する複数の面における断層画像を時分割で取得する工程と、前記複数の断層画像の各々の面での取得断層画像を画像表示装置に表示する工程と、前記互いに交差する複数の面の交差位置を各々の表示画像上あるいは近傍に表示する工程と、を有することを特徴とする。
また、本発明の撮像装置は、光を照射した被検眼からの戻り光に基づいて該被検眼の画像を撮る撮像装置であって、前記被検眼の画像に基づいて互いに交差する複数の面の位置について指示する指示手段と、所定時間内に前記画像が取得された位置に対応する前記被検眼の領域の画像を取得する取得手段と、を有することを特徴とする。
更に、本発明の方法は、表示画面の第１の領域に被検眼の第１の断層画像を表示する工程と、前記第１の断層画像と交差する面の第２の断層画像を前記表示画面の第２の領域に表示する工程と、前記第１の断層画像の面と前記第２の断層画像の面とが交差する位置を示す情報を、前記第１の領域と前記第２の領域のそれぞれに表示する工程と、前記第１の領域に表示された前記情報が示す位置の変更を指示する工程と、前記第２の領域における変更位置に対応する面の新たな第２の断層画像を表示する工程とを有することを特徴とする。